(57)【特許請求の範囲】
【請求項１】
ＵＳＢマスタとして機能するＵＳＢ機器と接続され、ＵＳＢスレーブとして機能する携帯端末であって、
前記ＵＳＢ機器のＵＳＢコネクタが挿入されるＵＳＢポートと、
前記接続されるＵＳＢ機器が内部電源を有しない場合に、前記ＵＳＢコネクタが前記ＵＳＢポートに挿入された状態において、前記ＵＳＢ機器の電源端子に接触して前記ＵＳＢ機器に電源を供給するための、前記ＵＳＢポートとは別に設けられた電源供給用端子と、  前記電源供給用端子から電源の供給を行う電源モジュールと、
前記電源モジュールの制御、及び、前記ＵＳＢポートを介した通信の制御を行う制御部と、を有し、
前記制御部は、前記ＵＳＢ機器を利用するアプリケーションプログラムが当該携帯端末において起動された場合に、前記電源モジュールを制御して、前記電源供給用端子から前記電源の供給を開始し、前記電源供給の開始後、所定の時間内に前記ＵＳＢポートが接続確立要求を受け付けた場合には、前記ＵＳＢ機器との接続を確立し、前記所定の時間内に前記ＵＳＢポートが前記接続確立要求を受け付けない場合には、前記ＵＳＢ機器の装着を促すメッセージを出力することを特徴とする携帯端末。
【請求項２】
請求項１に記載の携帯端末において、
前記制御部は、前記装着されたＵＳＢ機器から前記ＵＳＢコネクタを介して当該ＵＳＢ機器の機種を表す識別情報が送られると、その識別情報が、内部電源を有する機種を表すかを判定し、内部電源を有する機種を表す識別情報であると判断した場合、前記電源供給用端子からの前記ＵＳＢ機器への電源供給を行わないことを特徴とする携帯端末。
【請求項３】
ＵＳＢマスタとして機能するＵＳＢ機器と接続され、ＵＳＢスレーブとして機能する携帯端末であって、
前記ＵＳＢ機器のＵＳＢコネクタが挿入されるＵＳＢポートと、
前記接続されるＵＳＢ機器が内部電源を有しない場合に、前記ＵＳＢコネクタが前記ＵＳＢポートに挿入された状態において、前記ＵＳＢ機器の電源端子に接触して前記ＵＳＢ機器に電源を供給するための、前記ＵＳＢポートとは別に設けられた電源供給用端子と、
前記電源供給用端子から電源の供給を行う電源モジュールと、
前記電源モジュールの制御、及び、前記ＵＳＢポートを介した通信の制御を行う制御部と、を有し、
前記制御部は、前記ＵＳＢ機器を利用するアプリケーションプログラムが当該携帯端末において起動された場合に、前記電源モジュールを制御して、前記電源供給用端子から前記電源の供給を開始し、前記装着されたＵＳＢ機器から前記ＵＳＢコネクタを介して当該ＵＳＢ機器の機種を表す識別情報が送られると、その識別情報が、内部電源を有する機種を表すかを判定し、内部電源を有する機種を表す識別情報であると判断した場合、前記電源供給用端子からの前記ＵＳＢ機器への電源供給を行わないことを特徴とする携帯端末。
【請求項４】
請求項１または２に記載の携帯端末において、
前記制御部は、前記ＵＳＢ機器との接続が確立されると、そのＵＳＢ機器の認証を行い、認証が成功すると、前記ＵＳＢ機器からドライバをダウンロードして、該ドライバにより前記ＵＳＢ機器を制御することを特徴とする携帯端末。
【請求項５】
請求項１、２および４のいずれか一項に記載の携帯端末と、
前記携帯端末に取付けられ、ＵＳＢマスタとして機能し、内部電源を有しないＵＳＢ機器と、を備えるシステムにおいて、
前記ＵＳＢ機器は、
前記携帯端末のＵＳＢポートに挿入されるＵＳＢコネクタと、
前記ＵＳＢコネクタが前記ＵＳＢポートに挿入された状態において、前記電源供給用端子に接触して、前記電源供給用端子から前記電源の供給を受けるための、前記ＵＳＢコネクタとは別に設けられた電源端子と、
前記電源供給用端子から前記電源端子への前記電源の供給が開始されると、前記ＵＳＢコネクタから接続確立要求を出力する第２制御部と、を有することを特徴とするシステム。
【請求項６】
ＵＳＢスレーブとして機能する携帯端末と接続され、ＵＳＢマスタとして機能し、内部電源を有しないＵＳＢ機器であって、
前記携帯端末のＵＳＢポートに挿入されるＵＳＢコネクタと、
前記ＵＳＢコネクタとは別に配置され、前記ＵＳＢコネクタが前記ＵＳＢポートに挿入された状態において、前記携帯端末の電源供給用端子に接触する電源端子と、
前記電源供給用端子から前記電源端子への電源供給の開始により起動され、前記ＵＳＢコネクタから接続確立要求を出力する制御部と、を有し、
前記制御部は、前記接続確立要求を送信して、前記携帯端末との接続を確立する処理と、前記携帯端末から接続終了要求が送信されると、接続終了手続を実行する処理とを行うことを特徴とするＵＳＢ機器。
【請求項７】
請求項６に記載のＵＳＢ機器において、
当該ＵＳＢ機器は、次の（１）から（４）のうちいずれか一つの機器として機能するものであることを特徴とするＵＳＢ機器。
（１）文字入力用キーボード
（２）携帯電話モジュール
（３）ＧＰＳレシーバ
（４）カメラモジュール
【発明の詳細な説明】
【技術分野】
【０００１】
本発明は、携帯端末及びこれに用いられるＵＳＢ装置の構造に関する。
【背景技術】
【０００２】
ゲーム用の携帯端末として、特許文献1記載の携帯型ゲーム機が知られている。この携帯型ゲーム機のハウジングには、カメラが回転可能に固定されている。
【０００３】
【特許文献１】特開平１１−１４４０４０号公報
【発明の開示】
【発明が解決しようとする課題】
【０００４】
ところが、上記従来の携帯型ゲーム機のカメラは常時使用される訳ではない。その一方で、このようなカメラは携帯型ゲーム機のサイズを大きくする。
【０００５】
そこで、本発明は、ユーザが利用できる機能を減らさずに、携帯端末の小型化を図ることを目的とする。
【課題を解決するための手段】
【０００６】
本発明の一の態様によれば、
ＵＳＢマスタとして機能するＵＳＢ機器と接続され、ＵＳＢスレーブとして機能する携帯端末であって、
前記ＵＳＢ機器のＵＳＢコネクタが挿入されるＵＳＢポートと、
前記接続されるＵＳＢ機器が内部電源を有しない場合に、前記ＵＳＢコネクタが前記ＵＳＢポートに挿入された状態において、前記ＵＳＢ機器の電源端子に接触して前記ＵＳＢ機器に電源を供給するための、前記ＵＳＢポートとは別に設けられた電源供給用端子と、  前記電源供給用端子から電源の供給を行う電源モジュールと、
前記電源モジュールの制御、及び、前記ＵＳＢポートを介した通信の制御を行う制御部と、を有し、
前記制御部は、前記ＵＳＢ機器を利用するアプリケーションプログラムが当該携帯端末において起動された場合に、前記電源モジュールを制御して、前記電源供給用端子から前記電源の供給を開始し、前記電源供給の開始後、所定の時間内に前記ＵＳＢポートが接続確立要求を受け付けた場合には、前記ＵＳＢ機器との接続を確立し、前記所定の時間内に前記ＵＳＢポートが前記接続確立要求を受け付けない場合には、前記ＵＳＢ機器の装着を促すメッセージを出力することを特徴とする携帯端末が提供される。
【０００７】
また、
ＵＳＢマスタとして機能するＵＳＢ機器と接続され、ＵＳＢスレーブとして機能する携帯端末であって、
前記ＵＳＢ機器のＵＳＢコネクタが挿入されるＵＳＢポートと、
前記接続されるＵＳＢ機器が内部電源を有しない場合に、前記ＵＳＢコネクタが前記ＵＳＢポートに挿入された状態において、前記ＵＳＢ機器の電源端子に接触して前記ＵＳＢ機器に電源を供給するための、前記ＵＳＢポートとは別に設けられた電源供給用端子と、
前記電源供給用端子から電源の供給を行う電源モジュールと、
前記電源モジュールの制御、及び、前記ＵＳＢポートを介した通信の制御を行う制御部と、を有し、
前記制御部は、前記ＵＳＢ機器を利用するアプリケーションプログラムが当該携帯端末において起動された場合に、前記電源モジュールを制御して、前記電源供給用端子から前記電源の供給を開始し、前記装着されたＵＳＢ機器から前記ＵＳＢコネクタを介して当該ＵＳＢ機器の機種を表す識別情報が送られると、その識別情報が、内部電源を有する機種を表すかを判定し、内部電源を有する機種を表す識別情報であると判断した場合、前記電源供給用端子からの前記ＵＳＢ機器への電源供給を行わないことを特徴とする携帯端末が提供される。
【０００８】
本発明の別の態様によれば、
ＵＳＢスレーブとして機能する携帯端末と接続され、ＵＳＢマスタとして機能し、内部電源を有しないＵＳＢ機器であって、
前記携帯端末のＵＳＢポートに挿入されるＵＳＢコネクタと、
前記ＵＳＢコネクタとは別に配置され、前記ＵＳＢコネクタが前記ＵＳＢポートに挿入された状態において、前記携帯端末の電源供給用端子に接触する電源端子と、
前記電源供給用端子から前記電源端子への電源供給の開始により起動され、前記ＵＳＢコネクタから接続確立要求を出力する制御部と、を有し、
前記制御部は、前記接続確立要求を送信して、前記携帯端末との接続を確立する処理と、前記携帯端末から接続終了要求が送信されると、接続終了手続を実行する処理とを行うことを特徴とするＵＳＢ機器が提供される。
【発明の効果】
【００１０】
本発明によれば、ユーザが利用できる機能を減らさずに、携帯端末の小型化を図ることができる。
【発明を実施するための最良の形態】
【００１１】
以下、添付の図面を参照しながら、本発明に係る実施の一形態について説明する。
【００１２】
まず、本実施の形態に係る携帯端末の構成について説明する。
【００１３】
図１及び図２に示すように、本実施の形態に係る携帯端末１００は、筐体を構成する部材として、各種電子部品（演算装置、左右のスピーカ、ドライブ等）が収容された金属製の枠状シャシ１２０、シャシ１２０内側の空間をふさぐようにシャシ１２０の両側に取り付けられた１組の樹脂製ケース（以下、前面ケース、背面ケースと呼ぶ）１１０，１３０、を有している。
【００１４】
背面ケース１３０には、ディスクを装着するためのドライブの蓋１３１が、開閉可能に取り付けられている。
【００１５】
また、シャシ１２０の外周面には、ドライブの蓋１３１を開閉させるためのオープンボタン１２４、電源のＯＮ／ＯＦＦを切り替えるためのパワーボタン１２５、Ｒボタン１２５Ａ及びＬボタン１２５Ｂが設けられている。シャシ１２０は、前面及び背面ケース１１０，１３０と比較して剛性が高いため、そのコーナー部に、ストラップのカラビナが取り付けられるストラップ用孔１２７が形成されている。同様に、強度上の理由から、例えば、ヘッドホンのプラグが接続されるジャック１２６、充電器（以下、クレドール）の端子に接続される充電用端子１２８、ＵＳＢ機器のコネクタが接続されるＵＳＢポート１２１、ＵＳＢ機器に電源を供給するための電源供給用端子１２２Ａ，１２２Ｂ等の接続部品も、シャシ１２０に設けられている。そして、ＵＳＢポート１２１の両側の位置には、ＵＳＢ機器を固定するためのネジが締結されるネジ孔１２３Ａ,１２３Ｂが形成されている。
【００１６】
本実施の形態においては、携帯端末１００はＵＳＢのスレーブとして、ＵＳＢ機器はＵＳＢマスタとして機能する。このため、携帯端末１００側からＵＳＢ機器との接続を確立することができない。そこで、本実施の形態においては、ＵＳＢ機器の固定ネジと各ネジ孔１２３Ａ,１２３Ｂとの締結(すなわちＵＳＢ機器の装着)を携帯端末１００が検知することができるように、シャシ１２０のネジ孔１２３Ａ,１２３Ｂの底部に、所定の深さ以上に侵入したネジの先端で押し下されるスイッチ(不図示)が設けられている。これにより、携帯端末１００が、スイッチの出力信号によってＵＳＢ機器の装着を検知すると、ＵＳＢ機器を起動する、ようになっている。その詳細は後述する。
【００１７】
なお、ここでは、ＵＳＢ機器の装着を検知するためのスイッチがシャシ１２０のネジ孔１２３Ａ，１２３Ｂの底部に設けられているが、必ずしも、このようにする必要はない。例えば、ＵＳＢポート内部に、所定の深さ以上に侵入したＵＳＢコネクタの先端で押し下されるスイッチを設けてもよいし、電源供給用端子１２２Ａ，１２２Ｂが、電源用端子２２３により押し下されるスイッチを兼ねるようにしてもよい。
【００１８】
また、前面ケース１１０には、液晶ディスプレイ１１１、ユーザからの指示を受け付ける各種ボタン(例えば、ボリューム操作を受け付けるボリュームボタン１１２Ａ、選択指示を受け付けるセレクトボタン１１２Ｂ、スタート指示を受け付けるスタートボタン１１２Ｃ、ホームへの復帰指示を受け付けるボタン１１２Ｄ、ディスプレイ１１１のバックライトのＯＮ／ＯＦＦ切替え指示を受け付けるディスプレイボタン１１２Ｅ、サウンドのＯＮ／ＯＦＦ切替え指示を受け付けるサウンドボタン１１２Ｆ、アプリケーションプログラム等に与えるための各種指示を受け付ける入力可能な操作ボタン１１２Ｇ,１１２Ｈ)、ユーザからの方向指示を受け付けるアナログパッド１１４、携帯端末１００の状態に応じて点灯／消灯するＬＥＤ(例えば、電源のＯＮ／ＯＦＦ状態を示すＬＥＤ１１３Ａ、携帯端末１００がＨＯＬＤ状態であるか否かを示すＬＥＤ１１３Ｂ)、ＡＣアダプタまたは後述の拡張バッテリからのＤＣコネクタが接続されるＤＣ端子１１６が設けられている。さらに、前面ケース１１０にはダクト孔１１５等が形成されている。
【００１９】
つぎに、この携帯端末１００に装着される各種アクセサリについて説明する。
【００２０】
１．ＵＳＢ機器
上述したように、本実施の形態に係る携帯端末１００は、例えばパーソナルコンピュータ等と接続できるように、ＵＳＢのスレーブとして機能する。そして、携帯端末１００のＵＳＢポートには、ＵＳＢのマスタとして機能するＵＳＢ機器を装着することができる。ユーザは、マスタとして機能する各種のＵＳＢ機器のうち、必要とするＵＳＢ機器を適宜装着し、そのＵＳＢ機器を利用することができる。このように、オプショナルな機器を携帯端末１００に常時備え付けておかなくても、その機能が必要とされるときにだけ、その機器を携帯端末１００に装着することができる。このため、ユーザが利用できる機能を減らさずに携帯端末１００の小型化を図ることができる。
【００２１】
このようなＵＳＢ機器の具体例として、文字入力用キーボードモジュール、携帯電話モジュール、ＧＰＳレシーバ、カメラモジュール等が挙げられる。以下、これらのＵＳＢ機器について説明する。
【００２２】
(１)文字入力用キーボードモジュール
図３に、文字入力用キーボードモジュールが装着された携帯端末１００を示す。
【００２３】
文字入力用キーボードモジュール２００は、スタイラスペン４００またはユーザの指等の接触位置を表す信号を出力するタッチパネル２１０、タッチパネル２１０の出力に応じた信号を携帯端末１００に送信する通信機器２２０を有している。
【００２４】
タッチパネル２１０には、使用目的に応じたキーに相当する文字(または文字列)またはイラストが記述されており、それらの文字または文字列の記述位置にスタイラスペン４００等が接触すると、その位置を表す信号(すなわち、スタイラスペン４００等の接触位置に記述されている文字等を識別可能な信号)が、タッチパネル２１０から通信装置２２０に入力される。例えば、文字入力用キーボード機器のタッチパネルには、文字入力に必要なキー(アルファベット、シフトキー、コントロールキー等)を表す文字(不図示)等が記述されているため、ユーザは、それらの文字等の記述位置にスタイラスペン４００等を接触させることによって、入力を意図する文字等を識別可能な信号を通信装置２２０に入力することができる。
【００２５】
通信機器２２０は、携帯端末１００のＵＳＢポート１２１に適当な遊びをもって挿入されるＵＳＢコネクタ２２１、携帯端末１００のＵＳＢポート１２１にＵＳＢコネクタ２２１が挿入された状態において携帯端末１００の電源供給用端子１２２Ａ,１２２Ｂに接触する電源用端子２２３、携帯端末１００のネジ孔１２２Ａ,１２２Ｂにそれぞれ締結されるネジ２２２Ａ,２２２Ｂを有している。
【００２６】
(２)携帯電話モジュール
携帯電話モジュールは、スタイラスペン４００またはユーザの指等の接触位置を表す信号を出力するタッチパネル、基地局と双方向の無線通信を行うＵＳＢ無線通信装置、を有している。携帯電話モジュールの外観は、文字入力用キーボードモジュール２００とほぼ同様であるが、携帯電話モジュールのタッチパネルには、携帯電話機能の使用に必要なキー(テンキー、ホールドキー等)を表す文字等が記述されている。
【００２７】
(３)ＧＰＳレシーバ
図４に、携帯端末１００に装着されるＧＰＳレシーバ５００の概観を示す。
【００２８】
ＧＰＳレシーバ５００は、衛星からの位置測定用電波を受信するためのＧＰＳアンテナ５１０、ＧＰＳアンテナ５１０が受信した電波に基づき現在位置の緯度及び経度を測定し、その測定結果を携帯端末１００に送信する通信機器５２０、装着中の携帯端末１００の背面ケース１３０側に倒れる方向及びその復帰方向に回転可能にＧＰＳアンテナ５１０を保持するアンテナ姿勢調整用回転軸(不図示)、を有している。
【００２９】
なお、ＧＰＳアンテナ５１０は、その受信面が水平な状態で感度が良好になる。このため、使用中の携帯端末１００の姿勢に応じてＧＰＳアンテナ５１０の受信面の向きを調整することができるように、ＧＰＳアンテナ５１０は、装着中の携帯端末１００の厚さ方向Ｃに受信面が向く角度から、携帯端末１００の上方向として予め定められた方向Ｄに受信面が向く角度(後述のクレドールに携帯端末１００をおいた状態で受信面がほぼ水平になる角度)まで回転可能であることが望ましい。
【００３０】
通信機器５２０は、キーボードモジュールと同様、携帯端末１００のＵＳＢポート１２１に適当な遊びをもって挿入されるＵＳＢコネクタ５２１、携帯端末１００の電源供給用端子１２２Ａ,１２２Ｂにそれぞれ接続される電源用端子５２３、携帯端末１００のネジ孔１２２Ａ,１２２Ｂにそれぞれ締結されるネジ５２２Ａ,５２２Ｂを有している。
【００３１】
(４)カメラモジュール
図５に、携帯端末１００に装着されるカメラモジュール６００の概観を示す。
【００３２】
カメラモジュール６００は、カメラ６１０、カメラ６１０の出力を携帯端末１００に送信する通信機器６２０、撮影領域を変更できるようにカメラ６１０を回転可能に保持する回転軸、を有している。通信機器６２０は、キーボードモジュール等と同様、携帯端末１００のＵＳＢポート１２１に適当な遊びをもって挿入されるＵＳＢコネクタ６２１、携帯端末１００の電源供給用端子１２２Ａ，１２２Ｂにそれぞれ接続される電源用端子６２３、携帯端末１００のネジ孔１２２Ａ，１２２Ｂにそれぞれ締結されるネジ６２２Ａ,６２２Ｂを有している。
【００３３】
以上挙げたようなＵＳＢ機器及び携帯端末１００とは、それぞれ、以下の機能構成を有する。
【００３４】
携帯端末１００は、図１３に示すように、ネジ孔１２３Ａ,１２３Ｂ内部のスイッチ１２０１、ＵＳＢ機器のＵＳＢコネクタ(２２１、５２１、６２１等：以下、これらをまとめてＵＳＢコネクタ１４００)が適当な遊びをもって挿入されるＵＳＢポート１２１、電源端子１２２Ａ,１２２Ｂからの電源供給を開始または停止を制御する電源モジュール１２０２、スイッチ１２０１の状態に基づく電源モジュール１２０２の制御及びＵＳＢポート１２１を介した通信の制御等を実行する制御部(ＯＳ及び演算装置等により実現)１２００、を有している。
【００３５】
一方、ＵＳＢ機器は、図１４に示すように、携帯端末１００のＵＳＢポート１２１に挿入されるＵＳＢコネクタ１４００、携帯端末１００からの電源供給を受ける電源端子(２２３、５２３、６２３等：以下、これらをまとめて電源供給端子１４０１)、電源端子１４０１を介して携帯端末１００から供給される電源によって起動されると携帯端末１００との接続確立処理等を実行する制御部１４０２、を有している。
【００３６】
以上の機能構成により、ＵＳＢ機器と携帯端末１００との間では、以下の処理が実行される。
【００３７】
ｉ）接続確立処理
ＵＳＢ機器のＵＳＢコネクタ１４００が携帯端末１００のＵＳＢポート１２１内に挿入され、携帯端末１００のネジ孔１２３Ａ,１２３Ｂにネジ６２２Ａ,６２２Ｂが締結されると、携帯端末１００の制御部１２００は、ネジ孔１２３Ａ,１２３Ｂ内のスイッチの出力によって、ＵＳＢ機器の装着を認識する。ここで、ＵＳＢ機器が装着されたと判断する条件は、２つのネジ孔１２３Ａ,１２３Ｂ内のスイッチの少なくとも一方がＯＮになったこと、及び、２つのネジ孔１２３Ａ,１２３Ｂ内のスイッチの双方がＯＮになったことのいずれであってもよい。
【００３８】
携帯端末１００は、ＵＳＢ機器の装着を認識すると、電源モジュール１２０２を制御して、電源供給用端子１２２Ａ,１２２ＢからＵＳＢ機器の電源用端子への電源供給を開始する。この電源供給によりＵＳＢ機器が起動する。起動したＵＳＢ機器の制御部１４０２は、携帯端末１００を認識して、ＵＳＢコネクタ１４００を介して携帯端末１００に接続確立要求を送信する。これにより、ＵＳＢ機器と携帯端末１００との間の接続確立処理が実行される。
【００３９】
ＵＳＢ機器と携帯端末１００との間の接続が確立されると、携帯端末１００の制御部１２００は、ＵＳＢ機器の認証を行い、認証に成功すれば、ＵＳＢ機器のドライバ等をＵＳＢ機器からダウンロードする。その後、携帯端末１００の制御部１２００は、受信したドライバ等により、ＵＳＢ機器を制御する。
【００４０】
なお、ＵＳＢ機器のなかには、内部電源を有しているものもある。このようなＵＳＢ機器については、ＵＳＢポート１２１内へのＵＳＢコネクタ１４００の挿入によりスイッチが押し下されたとしても、携帯端末１００は、電源供給を行う必要がない。そこで、内部電源を有するＵＳＢ機器が携帯端末に装着された場合には、ネジ孔内部のスイッチがＯＮ状態になっても、携帯端末からＵＳＢ機器への電源供給が行われないようにしてもよい。具体的には、ＵＳＢポート１２１内へのＵＳＢコネクタ１４００の挿入によりスイッチがＯＮ状態となり、これにより携帯端末１００の制御部１２００がＵＳＢ機器の装着を認識した後に、ＵＳＢ機器の制御部１４０２が、ＵＳＢコネクタ１４００を介して、そのＵＳＢ機器の機種を表す識別情報を携帯端末１００に送信するようにすれば、携帯端末１００の制御部１２００は、その識別情報が、内部電源を有する機種を表すか否かを判断し、その結果、内部電源を有する機種を表す識別情報であると判断したときには、ＵＳＢ機器への電源供給を行わず、それ以外のときには、ＵＳＢ機器への電源供給を行う、ようにすることができる。
【００４１】
ii）接続終了処理
携帯端末１００から、ＵＳＢポート１２１を介してＵＳＢ機器に、接続終了要求を送信すると、ＵＳＢ機器の制御部１４０２が、携帯端末１００との接続の終了手続きを実行する。これにより、ＵＳＢ機器と携帯端末１００との接続が終了する。
【００４２】
携帯端末１００の制御部１２００は、ＵＳＢ機器との接続断を検知すると、電源モジュール１２０２を制御し、電源供給用端子１２２Ａ,１２２ＢからＵＳＢ機器の電源用端子１４０１への電源供給を停止するとともに、ＵＳＢ機器のドライバ等を削除する。
【００４３】
なお、ＵＳＢ機器がいきなり引き抜かれた場合等、以上の接続終了処理を経ずに、両ネジ孔内部のスイッチがＯＦＦ状態となることがある。このような場合には、携帯端末１００の制御部１２００は、ＵＳＢ機器との接続断を検知し、電源供給用端子１２２Ａ,１２２ＢからＵＳＢ機器の電源用端子１４０１への電源供給を停止する。
【００４４】
iii）アプリケーションプログラムからの、ＵＳＢ機器の制御
ＵＳＢ機器と携帯端末１００との接続が確立すると、携帯端末１００のＯＳは、アプリケーションプログラムからの要求に応じて、ＵＳＢ機器との接続が確立された旨をアプリケーションプログラムに通知する。または、アプリケーションプログラムからの要求によらず、ＵＳＢ機器が装着された旨が、ＯＳからアプリケーションプログラムに通知されるようにしてもよい。以下でいう、ＯＳからアプリケーションプログラムへの通知には、アプリケーションプログラムからの要求に応じたもの、および、アプリケーションプログラムからの要求によらないもの、の双方が含まれる。
【００４５】
ＵＳＢ機器が携帯端末１００に装着されると、携帯端末１００のＯＳは、ＵＳＢ機器が装着された旨、すなわち、上記条件(少なくともいずれか一方のスイッチがＯＮ状態であるとの条件、または、両方のスイッチがＯＮ状態であるとの条件)が満たされた旨をアプリケーションプログラムに通知する。この場合、アプリケーションプログラムは、ＵＳＢ機器の装着の有無を認識することができるため、必要に応じて、ＯＳに、ＵＳＢ機器への電源供給開始及び停止を要求することができる。例えば、アプリケーションプログラムは、再接続、リセット等のために、ＵＳＢ機器への電源供給を開始(または、一旦、停止してから開始)することも可能である。つまり、実質上、スレーブである携帯端末１００側から、マスタであるＵＳＢ機器との接続を確立及び終了することができる。
【００４６】
iｖ）ＵＳＢ機器のパワーマネージメント
起動後のＵＳＢ機器は、所定の時間操作されないときにはパワーマネージメントモードに入る。具体的には、ＵＳＢ機器の制御部１４０２は、携帯端末１００に接続終了通知を行い、携帯端末１００から、この通知に対する承認が通知されれば(携帯端末１００が否認しなければ)、携帯端末１００との接続の終了手続きを実行する。これにより、ＵＳＢ機器と携帯端末１００との接続が終了すると、携帯端末１００の制御部１２００が、電源モジュール１２０２を制御して、電源供給用端子１２２Ａ,１２２ＢからＵＳＢ機器の電源用端子１４０１への電源供給を停止、または、ＵＳＢ機器が、自動的に電源をＯＦＦにする。
【００４７】
その後、携帯端末１００の制御部１２００は、ＵＳＢ機器を再度起動する必要が生じたとき、電源モジュール１２０２を制御して、電源供給用端子１２２Ａ,１２２ＢからＵＳＢ機器の電源用端子１４０１への電源供給を再開する。このとき、携帯端末１００にＵＳＢ機器のドライバ等が残されていれば、ＵＳＢ機器から携帯端末１００へのドライバ等の転送は実行されない。また、ＵＳＢ機器の設定パラメータが携帯端末１００に設定されている場合には、そのパラメータが、携帯端末１００からＵＳＢ機器に転送される。これにより、ＵＳＢ機器が、パワーマネージメントに入る前の状態に復帰する。
【００４８】
ｖ）携帯端末１００のパワーマネージメント
携帯端末１００が所定の時間操作されないときに、携帯端末１００の制御部１２００は、電源モジュール１２０２を制御して、ＵＳＢ機器への電源供給を停止し、さらにスリープモードに入る。これにより、携帯端末１００及びＵＳＢ機器の双方が、パワーマネージメントモードに入る。ただし、ＵＳＢ機器の種類によっては、携帯端末１００のスリープモード中も、携帯端末１００が、ＵＳＢ機器への電源供給を継続し、ＵＳＢ機器からの通知があると、それに応じてスリープモードから復帰するようにすることもできる。このようにすることによって、例えば、携帯端末１００のスリープ中も、携帯電話モジュールに電源供給がなされれば、携帯電話モジュールを待ち受け状態にしておくことができる。そして、携帯端末１００のスリープ中に、携帯電話モジュールに着呼があったときには、携帯電話モジュールからの通知に応じて携帯端末１００のスリープモードが解除されるようにすればよい。
【００４９】
なお、本実施の形態においては、ＵＳＢ機器に２本の固定ネジが設けられ、携帯端末に、それらの固定ネジが締結される２つのネジ孔１２３Ａ,１２３Ｂが設けられているが、必ずしも、このようにする必要はない。例えば、ＵＳＢ機器の２本の固定ネジのうちの１本の固定ネジの代わりに、位置決め用ピンを用いてもよい。この場合、携帯端末１００には、ＵＳＢ機器の固定ネジが締結されるネジ孔と、ＵＳＢ機器の位置決め用ピンが挿入される位置決め用孔とが形成されていればよい。
【００５０】
ところで、以上においては、ＵＳＢ機器の装着を検知するスイッチが携帯端末に設けられているが、必ずしも、そのようにする必要はない。そのようなスイッチを携帯端末１００に設けずに、例えば、ＵＳＢ機器を利用するアプリケーションが携帯端末上で起動されたときに、ＵＳＢ機器への電力供給を行なうライブラリが呼び出されるようにしてもよい。以下、このようにする場合について説明する。
【００５１】
通常、ユーザは、ＵＳＢ機器を携帯端末１００に装着してから、操作スイッチ等を操作することによって、ＵＳＢ機器を利用するアプリケーションを携帯端末１００上で起動する。そこで、このようなアプリケーションが、起動時に、電源供給用端子１２２Ａ,１２２Ｂからの電源供給の開始をＯＳに要求するライブラリを呼び出すようにする。このライブラリの呼び出しにより、図６の機能構成が実現される。ただし、この場合の制御部１２００が実行する処理は、以下の点において、前述の場合と異なっている。
【００５２】
ライブラリが起動されると直ちに、制御部１２００は、電源モジュール１２０２を制御して、電源供給用端子１２２Ａ,１２２Ｂからの電源供給を開始する。すなわち、前述の場合と異なり、制御部１２００は、ＵＳＢ機器が装着されているか否かを判断せずに電源供給を開始する。
【００５３】
このときＵＳＢ機器が携帯端末１００に装着されていれば、そのＵＳＢ機器は、この電源供給により起動する。これにより、ＵＳＢ機器は、図７の機能構成を実現し、前述の場合と同様な処理を実行する。具体的には、ＵＳＢ機器の制御部１４０２は、ＵＳＢコネクタ１４００から接続確立要求を出力する。この接続確立要求に応じて、携帯端末１００の制御部１２００は、ＵＳＢ機器の制御部１４０２との間で接続確立処理を実行する。
【００５４】
これによりＵＳＢ機器と携帯端末１００との間の接続が確立されると、携帯端末１００の制御部１４０２は、ＵＳＢ機器の認証を行う。その結果、認証に成功すれば、携帯端末１００の制御部１４０２は、ＵＳＢ機器のドライバ等をＵＳＢ機器からダウンロードする。その後、携帯端末１００においては、ライブラリからアプリケーションに処理が戻り、アプリケーションからＵＳＢ機器を使用可能となる。
【００５５】
一方、ＵＳＢ機器が携帯端末１００に装着されていなければ、ＵＳＢ機器からの接続確立要求が携帯端末１００に送信されることはない。このため、携帯端末１００の制御部１４０２は、ＵＳＢポートの未通信状態が所定の時間継続したら、ＵＳＢ機器が未装着であると判断して、アプリケーションにエラーを返す。アプリケーションは、ＵＳＢ機器の装着及びアプリケーションの再起動を促すメッセージを、液晶ディスプレイ１１１等から出力する。
【００５６】
以上においては、ＵＳＢ機器の具体例として、文字入力用キーボードモジュール、携帯電話モジュール、ＧＰＳレシーバ、カメラモジュールを挙げたが、どのような機能を実現する機器であっても、本実施の形態に係るＵＳＢのマスタとして用いることができる。
【００５７】
２．ストラップ
図６は、ストラップ７００のカラビナ７４１がストラップ用孔１２７に取り付けられた携帯端末１００の外観図である。
【００５８】
ストラップ７００は、ヘッドフォン７１０Ａ,７１０Ｂ、ユーザの首等にかけられるテープ状のベルト７３０、ベルト７３０が輪状になるようにベルト両端を束ねた留具７３１、留具７３１が固定されるナラビナ７４１付き留具７４０、を有している。ベルト７３０の素材は、携帯端末１００を保持可能な適当な強度と、首にかけた状態で携帯端末１００の使用に支障をきたさない適当な可撓性とを有する絶縁材料であれば、どのようなものであってよい。このベルト７３０には、携帯端末１００を操作するための複数のボタン７５０が貼り付けられており、これらのボタン７５０からのワイヤはベルト内部に埋め込まれている。このため、携帯端末１００を操作するためのリモートコントローラを取り付ける必要がなく、その分、ユーザの首にかかる負担を少なくすることができる。
【００５９】
さらに、ヘッドフォン７１０の左右レシーバ７１１Ａ,７１１Ｂからのワイヤ７１２Ａ,７１２Ｂが、留具７４０から適当な長さの位置からベルト内部に埋め込まれ、ボタン７４０のワイヤと束ねられた状態で、留具７３１を介して留具７４０の穴から外部に引き出されている。携帯端末１００のジャック１２６に接続されるプラグは、留具７４０から引き出されたワイヤ束の先端に取り付けられている。
【００６０】
さらに、このストラップ７００には、周辺環境のノイズと逆位相の音を出力することによってノイズを低減する円形のノイズキャンセラ７２０に取り付けられている。図７に示すように、このノイズキャンセラ７２０は、外周面に、ノイズキャンセラのＯＮ／ＯＦＦを切り替えるためのスイッチ７２１が取り付けられ、一方の側面に、輪状のベルト７３０を挿入するためのベルト通し口を形成するコ形のベルトアジャスターパーツ７２３が取り付けられている。ノイズキャンセラ７２０は、ベルト７３０とベルトアジャスターパーツ７２３との摩擦によってベルト７３０に固定され、ベルト７３０がユーザの首にかけられた状態において、ユーザの首後部に位置付けられる。ユーザの首周りのベルト長さは、ベルト７３０をベルト通し口から留具側方向Ａまたはその反対側方向Ｂに引き出し、留具７４０からアジャスターパーツ７２３までの距離を変えることによって調整することができる。なお、ノイズキャンセラ７２０の他方の側面の中央領域には、必要に応じて、例えば、装飾部品、操作ボタン等のパーツ７２４を取り付けることが可能である。
【００６１】
ここでは、ユーザの首にかけるベルトとしてテープ状ベルト７３０を用いているが、必ずしも、このようにする必要はない。例えば、図８に示すように、そのようなテープ状ベルト７３０の代わりに、携帯端末１００の操作ボタンが形成されていない紐状ベルト７３０'を用いてもよい。ヘッドフォンのワイヤ７１２Ａ,７１２Ｂは、テープ状ベルト７３０の場合と同様、この紐状ベルト７３０'内部に埋め込まれ、束ねられた状態でカラビナ付き留具(不図示)から外部に引き出されている。なお、携帯端末１００のジャック１２６に接続されるプラグも、テープ状ベルト７３０を用いた場合と同様に、留具から引き出されたワイヤ束の先端に取り付けられている。
【００６２】
このような紐状ベルト７３０'を用いたストラップに携帯端末１００の操作ボタンを形成したい場合には、例えば、紐状ベルト７３０'とカラビナ付き留具との間を、携帯端末１００の操作ボタンが貼り付けられた適当な長さのテープ状ベルトで連結すればよい。
【００６３】
さらに、この紐状ベルト７３０'にも、ノイズキャンセラ７２０と同様な機能を有するノイズキャンセラ７２０'が取り付けられている。ただし、このノイズキャンセラ７２０'の一方の面側には溝が挿入されており、この溝内部に、紐状ベルト７３０'の両端部が一本に束ねられた状態で、この溝内部に挿入されている。そして、このノイズキャンセラ７２０'の一方の側面には、アジャスターパーツ７２３の代わりに、ノイズキャンセラ７２０'の溝底との間に紐状ベルト７３０'を挟み込むグリップ７２５が取り付けられており、このグリップ７２５の傾きを調整することによって、紐状ベルト７３０'に対してノイズキャンセラ７２０'を固定することできる。
【００６４】
３．クレドール
図９に、携帯端末１００の内部バッテリを充電するためのクレドール８００を示す。
【００６５】
クレドール８００は、携帯端末１００のシャシ１２０に対応する位置に２本の溝８０２Ａ,８０２Ａ'が形成された保持部材８０２、保持部材８０２の一方の溝８０２Ａ内部にシャシ１２０が挿入された状態の携帯端末１００の充電用端末１２８に接触するように設けられた電源端子８０９、携帯端末１００の背面ケース１３０のドライブ蓋１３１以外の領域に接触する支持板８０５、保持部材８０２及び支持板材８０５が固定された台座８０１、台座８０１を保持する回転軸８０４、ディスプレイ１１１を水平面に傾斜させる方向に回転可能に回転軸８０４を保持する脚８０３Ａ付きのベース８０３、電源と電源端子８０９とを接続するためのコード及びプラグ(不図示)を有している。このようなクレドールによれば、ユーザの視線が充電中の携帯端末１００のディスプレイ１１１に向くように、ベース８０３に対する台座８０１の傾斜角度を調整することができる。
【００６６】
４．拡張バッテリ
図１０に、携帯端末１００に接続される拡張バッテリを示す。
【００６７】
拡張バッテリ９００の外周面には、ＡＣアダプタからのコードのコネクタが接続される端子９０４、携帯端末１００のＤＣ端子１１６からのコードのコネクタが接続される端子(不図示)が設けられている。また、拡張バッテリ９００の一方の面には、充電量及び充電残量のいずれか一方の量を示すインジケータ９０１、インジケータ９０１が示す量を切り替えるためのボタン９０２が設けられている。ＡＣアダプタと携帯端末１００との間に、この拡張バッテリ９００を介在させることによって、ユーザは、この拡張バッテリ９００及び携帯端末１００の内部バッテリの双方を充電させながら、携帯端末１００を操作することができる。このとき、インジケータ９０１が充電量を示すようにすれば、ユーザは、インジケータ９０１から充電完了タイミングを確認することができる。拡張バッテリ９００からＡＣアダプタをはずしたときには、インジケータ９０１が充電残量を示すようにすれば、ユーザは、再充電のタイミングをインジケータ９０１から確認することができる。
【００６８】
さらに、拡張バッテリの他方の面には、複数本のガイド９０３Ａが形成された板材９０３の一端が固定されている。この板材９０３に、例えば、ユーザの衣類等に拡張バッテリを固定するためのパーツが取り付けられたコの字型クリップをガイド９０３Ａに沿って挿入すれば、携帯端末１００に接続中の拡張バッテリの持運びの便を図ることができる。具体例を挙げると、図１１に示すような、衣類等に差し込むためのクリップ９１０の一端が固定されたコの字型クリップ９１０、図１２に示すような、ユーザの腕に装着するベルト９２１が固定されたコの字型クリップ９１０を板材９０３に取り付けることができる。
【００６９】
ここでは、ユーザの衣類等に拡張バッテリを固定するためのパーツが取り付けられたコの字型クリップを例に挙げたが、板材９０３に取り付けられるコの字型のクリップには、
その他の目的のパーツを取り付けることもできる。
【図面の簡単な説明】
【００７０】
【図１】本発明の実施の形態に係る携帯端末の外観を説明するための図である。
【図２】図１の携帯端末の背面図である。
【図３】本発明の実施の形態に係る文字入力用キーボードモジュールの外観を説明するための図である。
【図４】本発明の実施の形態に係るＧＰＳモジュールの外観を説明するための図である。
【図５】本発明の実施の形態に係るカメラモジュールの外観を説明するための図である。
【図６】本発明の実施の形態に係るストラップ付き携帯端末の外観図である。
【図７】本発明の実施の形態に係るノイズキャンセラの外観を説明するための図である。
【図８】本発明の実施の形態に係るストラップの正面図及び側面図である。
【図９】本発明の実施の形態に係るクレドールの外観を説明するための図である。
【図１０】本発明の実施の形態に係る拡張バッテリの外観を説明するための図である。
【図１１】本発明の実施の形態に係る、クリップ付きクリップが付けられた拡張バッテリの背面図である。
【図１２】本発明の実施の形態に係る、ベルト付きクリップが付けられた拡張バッテリの背面図である。
【図１３】本発明の実施の形態に係る携帯端末の機能構成図である。
【図１４】本発明の実施の形態に係るＵＳＢ機器の機能構成図である。
【符号の説明】
【００７１】
１００…携帯端末、１１０…前面ケース、１１１…液晶ディスプレイ、１１２Ａ〜１１２Ｈ…ボタン、１１４…マイクロフォン、１１３Ａ，１１３Ｂ…ＬＥＤ、１１６…ＤＣ端子、１３０…背面ケース、１２１…ＵＳＢポート、１２２Ａ，１２２Ｂ…電源供給用端子、１２３Ａ，１２３Ｂ…ネジ孔、１２４…オープンボタン、１２５…パワーボタン、１２６…ヘッドホン用ジャック、１２８…充電用端子、１２７…ストラップ用孔、２００…文字入力用キーボードモジュール、４００…スタイラスペン、５００…ＧＰＳレシーバ、６００…カメラモジュール、７００…ストラップ、７２０…ノイズキャンセラ、８００…クレドール、９００…拡張バッテリ
【図１】
0004773498.tif 000002
【図２】
0004773498.tif 000003
【図３】
0004773498.tif 000004
【図４】
0004773498.tif 000005
【図５】
0004773498.tif 000006
【図６】
0004773498.tif 000007
【図７】
0004773498.tif 000008
【図８】
0004773498.tif 000009
【図９】
0004773498.tif 000010
【図１０】
0004773498.tif 000011
【図１１】
0004773498.tif 000012
【図１２】
0004773498.tif 000013
【図１３】
0004773498.tif 000014
【図１４】
0004773498.tif 000015